(57)【要約】【課題】監視領域に設置された異常出力機で検知等することができる異常に加えて、異常出力機で検知等することができない異常に関しても、鳴動機を鳴動させることで報知を行うことが可能になる、防災システム、受信機、及び鳴動音制御装置を提供すること。【解決手段】防災システム１は、監視領域に設置された感知器２０を受信機１０に対して通信可能に接続して構成され、監視領域の外部から出力された外部警報信号を受信する警報信号受信装置６０と、感知器２０から出力された異常信号に基づいて非常ベル３０、４１を鳴動させる際の鳴動音と、警報信号受信装置６０から出力された警報信号に基づいて非常ベル３０、４１を鳴動させる際の鳴動音とを、相互に異なる鳴動音とする鳴動音制御装置５０と、受信機１０と無線通信を行う無線中継器を備える。【選択図】図１
2018106758.tif 000002
【特許請求の範囲】
【請求項１】
監視領域に設置された異常出力機と鳴動機とを受信機に対して通信可能に接続して構成された防災システムであって、
監視領域の外部から出力された外部警報信号を受信する警報信号受信手段と、
前記異常出力機から出力された異常信号に基づいて前記受信機が前記鳴動機を鳴動させる際の鳴動音と、前記警報信号受信手段から出力された警報信号に基づいて前記受信機が前記鳴動機を鳴動させる際の鳴動音とを、相互に異なる鳴動音とする鳴動音制御手段と、
前記受信機と無線通信を行う無線中継器と、
を備え、
前記鳴動機は、当該鳴動機に供給される電力に応じて当該鳴動機の鳴動音を変化させるベルであり、
前記鳴動音制御手段は、
前記鳴動機を前記無線中継器に接続するための線路であって、前記無線中継器から前記鳴動機に鳴動用の電力を供給するための線路に取り付けられた、鳴動音制御装置として構成され、
前記警報信号受信手段から出力された警報信号に基づいて、前記鳴動用の電力の属性を変化させることにより、前記鳴動機を鳴動させる際の鳴動音を変化させる、
防災システム。
【請求項２】
前記鳴動音制御手段は、前記警報信号受信手段から出力された警報信号に基づいて前記受信機が前記鳴動機を鳴動させる際の鳴動音を、前記警報信号の種別に応じて異なる鳴動音とする、
請求項１に記載の防災システム。
【請求項３】
前記鳴動音制御手段は、前記異常出力機から出力された異常信号又は前記警報信号受信手段から出力された警報信号に基づいて前記受信機が前記鳴動機を鳴動させている際に、当該鳴動の原因となった異常信号又は警報信号とは異なる異常信号又は警報信号が出力された場合には、鳴動音の優先度を決定し、当該決定した優先度に基づいて鳴動音を制御する、
請求項１又は２に記載の防災システム。
【請求項４】
前記受信機は、前記警報信号受信手段から出力された警報信号に基づいて前記鳴動機を鳴動させた場合、前記警報信号の種別に応じた異なる鳴動停止条件に基づいて、前記鳴動機の鳴動を停止させる、
請求項１から３のいずれか一項に記載の防災システム。
【請求項５】
前記警報信号受信手段は、監視領域の外部から出力された外部警報信号を受信した場合に、前記受信機及び前記鳴動音制御手段に対して警報信号を無線出力する、警報信号受信装置として構成された、
請求項１から４のいずれか一項に記載の防災システム。
【請求項６】
監視領域に設置された異常出力機と鳴動機とに対して無線中継器を介して通信可能に接続された受信機であって、
監視領域の外部から出力された外部警報信号を受信する警報信号受信手段からの警報信号に基づいて、前記鳴動機を鳴動させるものであり、
前記鳴動機は、当該鳴動機に供給される電力に応じて当該鳴動機の鳴動音を変化させるベルである、
受信機。
【請求項７】
監視領域に設置された鳴動機を受信機に接続するための線路であって、前記受信機と無線通信を行う無線中継器から前記鳴動機に鳴動用の電力を供給するための線路に取り付けられた鳴動音制御装置であり、
監視領域に設置された異常出力機から出力された異常信号に基づいて前記受信機が前記鳴動機を鳴動させる際の鳴動音と、監視領域の外部から出力された外部警報信号を受信する警報信号受信手段からの警報信号に基づいて前記受信機が前記鳴動機を鳴動させる際の鳴動音とを、相互に異なる鳴動音とし、
前記警報信号受信手段から出力された警報信号に基づいて、前記鳴動用の電力の属性を変化させることにより、前記鳴動機を鳴動させる際の鳴動音を変化させる、
前記鳴動機は、当該鳴動機に供給される電力に応じて当該鳴動機の鳴動音を変化させるベルである、
鳴動音制御装置。
【発明の詳細な説明】
【技術分野】
【０００１】
本発明は、防災システム、受信機、及び鳴動音制御装置に関する。
【背景技術】
【０００２】
従来から、監視領域における異常発生を監視するための防災システムが普及している。例えば、この防災システムは、非常ベルの如き鳴動機と、感知器や発信機の如き異常出力機とを、受信機に接続して構成されており、感知器によって監視領域の異常が検知された場合や発信機が操作された場合には、これら感知器や発信機からの出力に基づいて、受信機が鳴動機を鳴動させるように構成されていた（例えば、特許文献１参照）。
【先行技術文献】
【特許文献】
【０００３】
【特許文献１】特開２０１０−０４１５４５号公報
【発明の概要】
【発明が解決しようとする課題】
【０００４】
しかしながら、上記従来の防災システムにおいては、監視領域に設置された感知器や発信機の如き異常出力機からの出力のみに基づいて鳴動機を鳴動させていたので、監視領域に影響を与え得る異常が予測される場合や実際に発生した場合であっても、感知器や発信機で検知等することができない異常については、鳴動機を鳴動させることができず、このような異常を報知することができなかった。
【０００５】
本発明は、上記に鑑みてなされたものであって、監視領域に設置された異常出力機で検知等することができる異常に加えて、異常出力機で検知等することができない異常に関しても、鳴動機を鳴動させることで報知を行うことが可能になる、防災システム、受信機、及び鳴動音制御装置を提供することを目的とする。
【課題を解決するための手段】
【０００６】
上述した課題を解決し、目的を達成するために、請求項１に記載の防災システムは、監視領域に設置された異常出力機と鳴動機とを受信機に対して通信可能に接続して構成された防災システムであって、監視領域の外部から出力された外部警報信号を受信する警報信号受信手段と、前記異常出力機から出力された異常信号に基づいて前記受信機が前記鳴動機を鳴動させる際の鳴動音と、前記警報信号受信手段から出力された警報信号に基づいて前記受信機が前記鳴動機を鳴動させる際の鳴動音とを、相互に異なる鳴動音とする鳴動音制御手段と、前記受信機と無線通信を行う無線中継器と、を備え、前記鳴動機は、当該鳴動機に供給される電力に応じて当該鳴動機の鳴動音を変化させるベルであり、前記鳴動音制御手段は、前記鳴動機を前記無線中継器に接続するための線路であって、前記無線中継器から前記鳴動機に鳴動用の電力を供給するための線路に取り付けられた、鳴動音制御装置として構成され、前記警報信号受信手段から出力された警報信号に基づいて、前記鳴動用の電力の属性を変化させることにより、前記鳴動機を鳴動させる際の鳴動音を変化させる。
【０００７】
請求項２に記載の防災システムは、請求項１に記載の防災システムにおいて、前記鳴動音制御手段は、前記警報信号受信手段から出力された警報信号に基づいて前記受信機が前記鳴動機を鳴動させる際の鳴動音を、前記警報信号の種別に応じて異なる鳴動音とする。
【０００８】
請求項３に記載の防災システムは、請求項１又は２に記載の防災システムにおいて、前記鳴動音制御手段は、前記異常出力機から出力された異常信号又は前記警報信号受信手段から出力された警報信号に基づいて前記受信機が前記鳴動機を鳴動させている際に、当該鳴動の原因となった異常信号又は警報信号とは異なる異常信号又は警報信号が出力された場合には、鳴動音の優先度を決定し、当該決定した優先度に基づいて鳴動音を制御する。
【０００９】
請求項４に記載の防災システムは、請求項１から３のいずれか一項に記載の防災システムにおいて、前記受信機は、前記警報信号受信手段から出力された警報信号に基づいて前記鳴動機を鳴動させた場合、前記警報信号の種別に応じた異なる鳴動停止条件に基づいて、前記鳴動機の鳴動を停止させる。
【００１０】
請求項５に記載の防災システムは、請求項１から４のいずれか一項に記載の防災システムにおいて、前記警報信号受信手段は、監視領域の外部から出力された外部警報信号を受信した場合に、前記受信機及び前記鳴動音制御手段に対して警報信号を無線出力する、警報信号受信装置として構成されている。
【００１１】
請求項６に記載の受信機は、監視領域に設置された異常出力機と鳴動機とに対して無線中継器を介して通信可能に接続された受信機であって、監視領域の外部から出力された外部警報信号を受信する警報信号受信手段からの警報信号に基づいて、前記鳴動機を鳴動させるものであり、前記鳴動機は、当該鳴動機に供給される電力に応じて当該鳴動機の鳴動音を変化させるベルである。
【００１２】
請求項７に記載の鳴動音制御装置は、監視領域に設置された鳴動機を受信機に接続するための線路であって、前記受信機と無線通信を行う無線中継器から前記鳴動機に鳴動用の電力を供給するための線路に取り付けられた鳴動音制御装置であり、監視領域に設置された異常出力機から出力された異常信号に基づいて前記受信機が前記鳴動機を鳴動させる際の鳴動音と、監視領域の外部から出力された外部警報信号を受信する警報信号受信手段からの警報信号に基づいて前記受信機が前記鳴動機を鳴動させる際の鳴動音とを、相互に異なる鳴動音とし、前記警報信号受信手段から出力された警報信号に基づいて、前記鳴動用の電力の属性を変化させることにより、前記鳴動機を鳴動させる際の鳴動音を変化させる、前記鳴動機は、当該鳴動機に供給される電力に応じて当該鳴動機の鳴動音を変化させるベルである。
【発明の効果】
【００１３】
請求項１に記載の防災システムによれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
また、鳴動音制御手段が受信機から鳴動機に鳴動用の電力を供給するための線路に取り付けられた鳴動音制御装置として構成されており、この電力の属性を変化させることにより鳴動音が変化するので、受信機や鳴動機については鳴動音変化のための特殊な構成を設けることなく、既設の線路に鳴動音制御装置を取り付けることで鳴動音を変化させることができるため、防災システムの増加コストを低減することが可能になり、防災システムの普及度を向上させることが可能になる。
【００１４】
請求項２に記載の防災システムによれば、警報信号に基づく鳴動機の鳴動音が、警報信号の種別に応じて異なる鳴動音になるので、異常等の種別が一層詳細に認識可能となるようにユーザに対する報知を行うことが可能になる。
【００１５】
請求項３に記載の防災システムによれば、複数の異常信号や警報信号が競合した場合に、鳴動音の優先度を決定し、当該決定した優先度に基づいて鳴動音を制御するので、例えば、最も優先度が高い信号種別に応じた鳴動音で鳴動を行わせることで、優先度に応じた報知をユーザに対して行うことが可能になる。
【００１６】
請求項４に記載の防災システムによれば、警報信号の種別に応じた異なる鳴動停止条件に基づいて、鳴動機の鳴動が停止するので、例えば、比較的危険性が低い異常が発生した場合には鳴動を比較的短時間だけ行ってから停止させることで、ユーザの煩わしさを防止したり消費電力を低減したりすることができ、比較的危険性が高い異常が発生した場合には鳴動を比較的長時間に渡って行ってから停止させることで、ユーザに異常等を一層確実に報知することが可能になる等、警報信号の種別に応じた好適な条件で鳴動停止タイミングを制御することが可能になる。
【００１７】
請求項５に記載の防災システムによれば、警報信号受信手段が受信機及び鳴動音制御手段に対して警報信号を無線出力する警報信号受信装置として構成されているので、受信機や鳴動音制御手段については外部警報信号の受信や警報信号の出力を行うための特殊な構成を設けることなく、これら受信機や鳴動音制御手段とは独立した警報信号受信装置を設けることでこれら外部警報信号や警報信号を処理できるので、防災システムの増加コストを低減することが可能になり、防災システムの普及度を向上させることが可能になる。
【００１８】
請求項６に記載の受信機によれば、監視領域に設置された異常出力機と鳴動機とに対して無線中継器を介して通信可能に接続された受信機であって、監視領域の外部から出力された外部警報信号を受信する警報信号受信手段からの警報信号に基づいて、前記鳴動機を鳴動させる。
【００１９】
請求項７に記載の鳴動音制御装置によれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
また、受信機と無線通信を行う無線中継器から鳴動機に鳴動用の電力を供給するための線路に取り付けられており、この電力の属性を変化させることにより鳴動音が変化するので、受信機や鳴動機については鳴動音変化のための特殊な構成を設けることなく、既設の線路に鳴動音制御装置を取り付けることで鳴動音を変化させることができるため、防災システムの増加コストを低減することが可能になり、防災システムの普及度を向上させることが可能になる。
【図面の簡単な説明】
【００２０】
【図１】本発明の実施の形態１に係る防災システムの構成を示す概略図である。
【図２】受信機の電気的構成を機能概念的に示すブロック図である。
【図３】鳴動停止条件テーブルの構成例を示す図である。
【図４】鳴動音制御装置の電気的構成を機能概念的に示すブロック図である。
【図５】鳴動内容テーブルの構成例を示す図である。
【図６】警報信号受信装置の電気的構成を機能概念的に示すブロック図である。
【図７】防災処理のフローチャートである。
【図８】実施の形態２に係る防災処理のフローチャートである。
【発明を実施するための形態】
【００２１】
以下、本発明に係る防災システム、及び鳴動音制御装置の実施の形態について図面を参照しつつ詳細に説明する。ただし、実施の形態によって本発明が限定されるものではない。
【００２２】
〔実施の形態の基本的概念〕
まずは、実施の形態の基本的概念について説明する。実施の形態は、概略的に、防災システム、鳴動音制御装置、及び警報信号受信装置に関するものである。
【００２３】
「防災システム」は、監視領域における異常の発生の有無を監視するためのシステムであり、少なくとも１台の受信機と、１台の異常出力機と、１台の鳴動機とを備えて構成されている。この監視領域の設定対象は任意であり、例えば、集合住宅、オフィスビス、あるいは商業施設を含む。「受信機」は、複数台の感知器に基づいて所定処理を行う受信手段（火災受信盤）であり、例えば、管理室に設置されている。「異常出力機」は、監視領域の異常発生を報知するための異常出力を行う機器であり、感知器や発信機が該当する。「感知器」は、監視領域における異常の発生の有無を感知する感知手段であり、例えば、煙や熱を感知する火災感知器、ガスを感知するガス漏れ感知器、あるいは人体を感知する人感センサが該当する。「発信機」は、押しボタンスイッチを備えて構成されており、この押しボタンスイッチがユーザによって押圧操作された場合に異常出力を行う起動装置である。「鳴動機」は、異常発生を監視領域に報知するために鳴動する音響装置であり、例えば、非常ベル、サイレン、スピーカが該当する。本実施の形態においては、鳴動機が非常ベルである場合について説明する。これら異常出力機と鳴動機は、相互に独立した装置として構成される場合に限定されず、相互に統合された装置として構成される場合もあり、例えば、異常出力機である発信機と、鳴動機である非常ベルとは、１台の「機器収容箱（総合盤）」として統合可能である。なお、これら防災システムを構成する各部の祖互間の接続方式は任意であり、有線と無線のいずれを用いて接続を行ってもよい。この実施の形態では、防災システムがいわゆるＰ型システムとして構成されており、受信機と異常出力機とが幹線を介して相互に有線接続されており、受信機と鳴動機とがベル線３を介して有線接続されている場合を例示する。
【００２４】
「鳴動音制御装置」は、異常出力機から出力された異常信号に基づいて受信機が鳴動機を鳴動させる際の鳴動音と、警報信号受信装置から出力された警報信号に基づいて受信機が鳴動機を鳴動させる際の鳴動音とを、相互に異なる鳴動音とする鳴動音制御手段である。「相互に異なる鳴動音」とは、ユーザが識別可能な程度に音の属性を変化させることを意味している。「音の属性」とは、音のレベル、音程、周期（長さ）を含む。この実施の形態では、音の周期を変化させる場合について説明する。
【００２５】
「警報信号受信装置」は、監視領域の外部から出力された外部警報信号を受信して警報信号を出力する警報信号受信手段である。「外部警報信号」の種類や目的は任意であり、監視領域とは無関係な異常に関する信号であってもよいが、本実施の形態においては、監視領域に影響を与え得る異常が予測される場合や実際に発生した場合に出力される信号であるものとする。このような外部警報信号としては、例えば、地震、津波、竜巻、台風、落雷、豪雨、土砂崩れ、あるいは紛争のような天災又は人災に関する、発生予報、発生警報、避難勧告、避難命令等の信号を挙げることができる。本実施の形態においては、外部警報信号が、緊急地震速報、津波警報、あるいは豪雨注意報のいずれかを示す信号である場合について説明する。なお、外部警報信号の具体的な構成は任意であるが、例えば、外部警報信号は、緊急地震速報、津波警報、あるいは豪雨注意報のいずれかの信号であるのかを識別するための種別識別子を含んで構成される。
【００２６】
〔実施の形態の具体的内容〕
次に、実施の形態の具体的内容について説明する。
【００２７】
〔実施の形態１〕
最初に、実施の形態１について説明する。この形態は、異常出力機から出力された異常信号に基づいて受信機が鳴動機を鳴動させる際の鳴動音と警報信号受信手段から出力された警報信号に基づいて受信機が鳴動機を鳴動させる際の鳴動音とを、相互に異なる鳴動音とする形態である。
【００２８】
（構成）
まず、実施の形態１に係る防災システムの構成について説明する。図１は、実施の形態１に係る防災システムの構成を示す概略図である。この図１に示すように、防災システム１は、受信機１０、複数の感知器２０、非常ベル３０、機器収容箱４０、鳴動音制御装置５０、及び警報信号受信装置６０を備えて構成されている。感知器２０と機器収容箱４０は受信機１０に対して幹線２を介して図示のように接続されている。非常ベル３０と機器収容箱４０は受信機１０に対してベル線３を介して図示のように接続されている。なお、感知器２０、非常ベル３０、及び機器収容箱４０については、従来と同様に構成することができるので、その概要のみを説明し、詳細な説明を省略する。また、幹線２とベル線３は、実際にはそれぞれ一対のリード線として構成されているが、図１では簡略化して１本の線路として示す。
【００２９】
（構成−受信機）
最初に、受信機１０の構成について説明する。図２は、受信機１０の電気的構成を機能概念的に示すブロック図である。この図２に示すように、受信機１０は、入力部１１、出力部１２、通信部１３、幹線端子１４、ベル線端子１５、記憶部１６、及び制御部１７を備えている。
【００３０】
（構成−受信機−入力部）
入力部１１は、受信機１０の動作に必要な情報の入力を受け付ける入力手段であり、例えば、タッチパネル、スイッチ、及び外部入力端子を備える。受信機１０のユーザは、例えば、タッチパネルやスイッチを介して、出力部１２に監視状態を表示すべき監視区画を切り替えたり、警報出力を停止させたり、あるいは、これらの情報を任意の外部機器から外部入力端子を介して入力することができる。
【００３１】
（構成−受信機−出力部）
出力部１２は、受信機１０の動作に必要な情報の出力を行う出力手段であり、例えば、スピーカ、ディスプレイ、表示灯、及び外部出力端子を備える。受信機１０のユーザは、例えば、警報音をスピーカを介して出力させたり、監視区画の監視状態をディスプレイや表示灯を介して出力させたり、あるいは、これらの情報を任意の外部機器に対して外部出力端子を介して移報出力することができる。
【００３２】
（構成−受信機−通信部）
通信部１３は、警報信号受信装置６０との通信を行う受信機側通信手段であり、例えば、警報信号受信装置６０からの警報信号を無線にて受信するためのアンテナや復調を行うための復調部を備える。
【００３３】
（構成−受信機−幹線端子）
幹線端子１４は、幹線２を接続するための接続端子である。この幹線２を介して感知器２０に電力を供給すると共に、この幹線２における電流変化を制御部において検知することで感知器２０や機器収容箱４０の発信機４２からの異常信号を受信することができる。
【００３４】
（構成−受信機−ベル線端子）
ベル線端子１５は、ベル線３を接続するための接続端子である。このベル線３を介して機器収容箱４０及び非常ベル３０に電力を供給することで、機器収容箱４０の非常ベル４１や非常ベル３０を鳴動させることができる。
【００３５】
（構成−受信機−記憶部）
記憶部１６は、受信機１０の動作に必要なプログラム及び各種のデータを記憶する記憶手段である。この記憶部１６は、例えば、外部記憶装置としてのハードディスク（図示省略）を用いて構成されているが、ハードディスクに代えてあるいはハードディスクと共に、磁気ディスクの如き磁気的記憶媒体、又はＤＶＤやブルーレイディスクの如き光学的記憶媒体を含む、その他の任意の記憶媒体を用いることができる（この点は他の装置や機器の記憶部も同様）。
【００３６】
この記憶部１６には、鳴動停止条件テーブル１６ａが記憶されている。この鳴動停止条件テーブル１６ａは、鳴動音を停止させるための鳴動停止条件を特定するための鳴動停止条件特定情報格納手段であり、図３に例示するように、項目「信号種別」及び項目「鳴動時間」を含み、これら各項目の情報を相互に対応付けて構成されている。項目「信号種別」の情報は、鳴動音制御装置５０が受信した信号の種別を特定するための信号種別特定情報であり、「異常信号」と「警報信号」に大別されており、警報信号はさらに緊急地震速報、津波警報、豪雨注意報に大別されている。「異常信号」は、信号の種別＝感知器又は発信機から出力された異常信号であることを示す。警報信号は、信号の種別＝警報信号受信装置６０から受信した警報信号であることを示す。緊急地震速報は、信号の種別＝警報信号としての緊急地震速報であることを示し、津波警報は、信号の種別＝警報信号としての津波警報であることを示し、豪雨注意報は、信号の種別＝警報信号としての豪雨注意報であることを示す。項目「鳴動時間」の情報は、鳴動音を継続させる時間を特定する鳴動音継続時間特定情報であり、例えば、「１時間」は鳴動音を１時間だけ継続的に出力することを示す。この鳴動停止条件テーブル１６ａは、防災システム１のユーザにより設定されて記憶部１６に記憶される。
【００３７】
（構成−受信機−制御部）
制御部１７は、受信機１０を制御する制御手段である。この制御部１７は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（この点は他の装置や機器の制御部も同様）。特に、本実施の形態に係る受信機用プログラムは、任意の記憶媒体又はネットワークを介して受信機１０にインストールされることで、制御部１７の各部を実質的に構成する。
【００３８】
この制御部１７は、電力制御部１７ａを備える。この電力制御部１７ａは、所定条件下において非常ベル３０、４１に鳴動を行わせると共に、所定条件下において非常ベル３０、４１に鳴動を停止させる電力制御手段である。この電力制御部１７ａは、幹線２における電流変化に基づいて感知器２０や発信機４２からの異常信号を検知し、異常信号を検知した場合には、ベル線３に鳴動用の電力を供給することで、非常ベル３０、４１を鳴動させる。また、電力制御部１７ａは、警報信号受信装置６０からの警報信号が通信部１３を介して受信された場合には、ベル線３に鳴動用の電力を供給することで、機器収容箱４０の非常ベル３０、４１を鳴動させる。ここで、受信機１０から供給する鳴動用の電力は、感知器２０や発信機からの異常信号を検知した場合と、警報信号受信装置６０からの警報信号を受信した場合とで、相互に同じ電力を供給する。この電力制御部１７ａによる具体的な処理内容については後述する。
【００３９】
（構成−感知器）
次に、図１の感知器２０の構成についてその概要を説明する。感知器２０は、監視領域における異常を検知した場合には、自己の表示灯を点滅又は点灯させる。また感知器２０は、異常の非検知時には開いている幹線２との接点を、異常の検知時に閉じることで、異常信号を受信機１０に向けて出力する。
【００４０】
（構成−非常ベル）
次に、非常ベル３０の構成についてその概要を説明する。非常ベル３０は、ベル線３を介して受信機１０から鳴動用の電力の供給を受けた場合に鳴動する。例えば、非常ベル３０は、受信機１０からの電力により駆動される直流モータを用いて鳴動するモータ式ベルとして構成されており、この電力が供給されている時間においてのみ鳴動を行うことから、この電力を断続供給することにより断続鳴動し、この断続供給の周期を変化させることによって断続鳴動の周期が変化する。
【００４１】
（構成−機器収容箱）
次に、機器収容箱４０の構成についてその概要を説明する。機器収容箱４０は、非常ベル４１、発信機４２、及び表示灯４３を筐体に一体に設けて構成されている。非常ベル４１は、上記非常ベル３０と同様に構成されている。発信機４２は、押しボタンスイッチがユーザによって押圧操作された場合に異常出力を行うもので、押しボタンスイッチの非押圧時には開いている幹線２との接点を、押しボタンスイッチの押圧時に閉じることで、異常信号を受信機１０に向けて出力する。表示灯４３は、非常ベル４１と同様にベル線３からの電力を受けて点灯する。本実施の形態では、この機器収容箱４０を介して、感知器２０と非常ベル３０が受信機１０に接続されている。
【００４２】
（構成−鳴動音制御装置）
次に、鳴動音制御装置５０の構成について説明する。図４は、鳴動音制御装置５０の電気的構成を機能概念的に示すブロック図である。この図４に示すように、鳴動音制御装置５０は、通信部５１、接点スイッチ５２、記憶部５３、及び制御部５４を備えている。
【００４３】
（構成−鳴動音制御装置−通信部）
通信部５１は、警報信号受信装置６０との通信を行う鳴動音制御装置側通信手段であり、例えば、警報信号受信装置６０からの警報信号を無線にて受信するためのアンテナや復調を行うための復調部を備える。
【００４４】
（構成−鳴動音制御装置−接点スイッチ）
接点スイッチ５２は、ベル線３を開閉するための開閉スイッチであり、制御部５４の後述する鳴動音制御部５４ａの制御により駆動される。
【００４５】
（構成−鳴動音制御装置−記憶部）
記憶部５３は、鳴動音制御装置５０の動作に必要なプログラム及び各種のデータを記憶する記憶手段である。この記憶部５３には、鳴動内容テーブル５３ａが記憶されている。この鳴動内容テーブル５３ａは、鳴動音の内容を特定するための鳴動音特定情報格納手段であり、図５に例示するように、項目「信号種別」及び項目「周期」を含み、これら各項目の情報を相互に対応付けて構成されている。項目「信号種別」の情報は、鳴動音制御装置５０が受信した信号の種別を特定するための信号種別特定情報であり、「異常信号」と「警報信号」に大別されており、警報信号はさらに緊急地震速報、津波警報、豪雨注意報に大別されている。「異常信号」は、信号の種別＝感知器又は発信機から出力された異常信号であることを示す。警報信号は、信号の種別＝警報信号受信装置から受信した警報信号であることを示す。緊急地震速報は、信号の種別＝警報信号としての緊急地震速報であることを示し、津波警報は、信号の種別＝警報信号としての津波警報であることを示し、豪雨注意報は、信号の種別＝警報信号としての豪雨注意報であることを示す。項目「周期」の情報は、鳴動音の周期を特定する鳴動音周期特定情報であり、例えば、「連続」は鳴動音を連続的に出力することを示し、「１５秒」は、鳴動音を１５秒間隔（１５秒の連続鳴動と、１５秒の休止との繰り返し）で出力することを示す。この鳴動内容テーブル５３ａは、防災システム１のユーザにより設定されて記憶部５３に記憶される。
【００４６】
（構成−鳴動音制御装置−制御部）
制御部５４は、鳴動音制御装置５０を制御する制御手段である。特に、本実施の形態に係る受信鳴動音制御装置用プログラムは、任意の記憶媒体又はネットワークを介して鳴動音制御装置５０にインストールされることで、制御部５４の各部を実質的に構成する。
【００４７】
この制御部５４は、鳴動制御部５４ａを備える。この鳴動制御部５４ａは、感知器３０や発信機４２から出力された異常信号に基づいて受信機１０が非常ベル３０、４１を鳴動させる際の鳴動音と、警報信号受信装置６０から出力された警報信号に基づいて受信機１０が非常ベル３０、４１を鳴動させる際の鳴動音とを、相互に異なる鳴動音とするため、非常ベル３０、４１に対して供給する電力の属性を変化させる鳴動制御手段である。この鳴動制御部５４ａによる具体的な処理内容については後述する。
【００４８】
このように構成された鳴動音制御装置５０は、既設の防災システム１に対して容易に後付け可能となるように、防災システム１における他の装置とは独立した装置として構成されており、接点スイッチ５２を介してベル線３と接続するだけで、防災システム１に対する取り付けを行うことが可能になる。このため、鳴動音制御装置５０には、電池（図示省略）が内蔵されており、この電池を電源として動作することが可能となっている。ただし、商用電源を鳴動音制御装置５０に供給するようにしたり、受信機１０や警報信号受信装置６０から電源を鳴動音制御装置５０に供給したりするようにしてもよい。
【００４９】
（構成−警報信号受信装置）
次に、警報信号受信装置６０の構成について説明する。図６は、警報信号受信装置６０の電気的構成を機能概念的に示すブロック図である。この図６に示すように、警報信号受信装置６０は、通信部６１、記憶部６２、及び制御部６３を備えている。
【００５０】
（構成−警報信号受信装置−通信部）
通信部６１は、監視領域の外部から出力された外部警報信号を無線受信すると共に、受信機１０及び鳴動音制御装置５０に警報信号を無線送信する警報信号受信装置側通信手段であり、例えば、外部警報信号を無線受信したり警報信号を無線送信したりするためのアンテナや復調や変調を行うための復変調部を備える。
【００５１】
（構成−警報信号受信装置−記憶部）
記憶部６２は、鳴動音制御装置５０の動作に必要なプログラム及び各種のデータを記憶する記憶手段である。
【００５２】
（構成−警報信号受信装置−制御部）
制御部６３は、警報信号受信装置６０を制御する制御手段である。特に、本実施の形態に係る警報信号受信装置用プログラムは、任意の記憶媒体又はネットワークを介して警報信号受信装置６０にインストールされることで、制御部６３の各部を実質的に構成する。
【００５３】
この制御部６３は、通信制御部６３ａを備える。この通信制御部６３ａは、監視領域の外部から出力された外部警報信号を無線受信し、受信機１０及び鳴動音制御装置５０に警報信号を無線送信する送受信動作を制御する通信制御手段である。この通信制御部６３ａによる具体的な処理内容については後述する。
【００５４】
このように構成された警報信号受信装置６０は、既設の防災システム１に対して容易に後付け可能となるように、防災システム１における他の装置とは独立した装置として構成されており、特に後述する通信部を介した無線通信を行うことによって受信機１０及び鳴動音制御装置５０に警報信号を出力可能となっていることから、防災システム１における他の装置に対する物理的な接続を行うことなく、防災システム１に対して導入することができる。このため、警報信号受信装置６０には、電池（図示省略）が内蔵されており、この電池を電源として動作することが可能となっている。ただし、商用電源を警報信号受信装置６０に供給するようにしたり、受信機１０や鳴動音制御装置５０から電源を警報信号受信装置６０に供給したりするようにしてもよい。
【００５５】
（処理）
次に、このように構成される防災システム１によって実行される防災処理について説明する。この防災処理は、受信機１０、鳴動音制御装置５０、及び警報信号受信装置６０への電源投入後にこれら各機器により繰り返して実行される。図７は、防災処理のフローチャートである。なお、以下では、「ステップ」を「Ｓ」と略記する。
【００５６】
まず、感知器２０は、監視領域における異常を公知の方法で監視し、異常を検知した場合には、警報音の出力と表示灯の点滅又は点灯を行うと共に、幹線２との接点を閉じることで異常信号を受信機１０に向けて出力する。あるいは、機器収容箱４０の発信機４２は、押しボタンスイッチが押圧された場合には、幹線２との接点を閉じることで、異常信号を受信機１０に向けて出力する。なお、これら感知器２０及び機器収容箱４０の処理は、図６において省略する。
【００５７】
また、警報信号受信装置６０の通信制御部６３ａは、監視領域の外部から出力された外部警報信号が通信部６１を介して受信されたか否かを監視しており（ＳＡ１）、外部警報信号が受信された場合には（ＳＡ１、Ｙｅｓ）、受信機１０及び鳴動音制御装置５０に警報信号を通信部６１を介して無線送信する（ＳＡ２）。この警報信号の具体的な構成は任意であるが、例えば、警報信号は、外部警報信号から取得した種別識別子を含んで構成される。
【００５８】
一方、受信機１０の電力制御部１７ａは、感知器２０又は機器収容箱４０の発信機４２から出力された異常信号の入力の有無を幹線２の電流変化の有無に基づいて監視すると共に、警報信号受信装置６０から送信された警報信号の受信の有無を通信部１３の受信状態に基づいて監視しており（ＳＡ３）、異常信号の入力又は警報信号の受信があった場合には（ＳＡ３、Ｙｅｓ）、警報音の出力や外部機器への移報等の所定の報知動作を行うと共に、ベル線３を介して非常ベル３０に鳴動用の電力を供給する（ＳＡ４）。
【００５９】
また、鳴動音制御装置５０の鳴動制御部５４ａは、鳴動音の制御の要否をベル線３に対する受信機１０からの電力の供給状態に基づいて監視する（ＳＡ５）。すなわち、ベル線３への電力の供給がない場合には、非常ベル３０、４１を鳴動させる必要がないことから、鳴動音の制御も不要であると判定し、ベル線３への電力の供給があった場合には、非常ベル３０、４１を鳴動させる必要があることから、鳴動音の制御が必要であると判定する。そして、鳴動音の制御が必要であると判定した場合には（ＳＡ５、Ｙｅｓ）、鳴動音の制御内容を特定する（ＳＡ６）。例えば、鳴動制御部５４ａは、警報信号受信装置６０からの警報信号を通信部５１を介して受信していない場合には、感知器２０又は発信機４２からの異常信号に基づく鳴動を行わせる必要があると考えられるため、鳴動内容テーブル５３ａを参照して、信号種別＝異常信号に対応する周期（図５の例では、周期＝連続）を取得する。あるいは、鳴動制御部５４ａは、警報信号受信装置６０からの警報信号を通信部５１を介して受信している場合には、警報信号受信装置６０が外部警報信号を受信したことにより、警報信号受信装置６０が警報信号を出力したことに基づく鳴動を行わせる必要があると考えられるため、鳴動内容テーブル５３ａを参照して、信号種別＝警報信号に対応する周期を取得する。この場合、受信した警報信号に含まれる種別識別子に基づいて、警報信号の種別を特定し、当該特定した種別に対応する周期（図５の例では、種別＝緊急地震速報の場合には周期＝１５秒、種別＝津波警報の場合には周期＝１０秒、種別＝豪雨注意報の場合には周期＝５秒）を取得する。
【００６０】
次いで、鳴動制御部５４ａは、ＳＡ６で特定した制御内容に基づいて鳴動音を制御する（ＳＡ７）。すなわち、鳴動制御部５４ａは、ＳＡ６で取得した周期で接点スイッチ５２を開閉制御することで、非常ベル３０、４１に対する電力供給の周期を制御し、この非常ベル３０、４１における鳴動音の周期を制御する。このような処理を行うことにより、監視領域に設置された感知器２０又は発信機４２で検知等することができる異常に加えて、これら感知器２０又は発信機４２で検知等することができない異常に関しても、非常ベル３０、４１を鳴動させることで報知を行うことが可能になる。さらに、感知器２０又は発信機４２から出力された異常信号に基づいて非常ベル３０を鳴動させる際の鳴動音と、警報信号受信装置６０から出力された警報信号に基づいて非常ベル３０、４１を鳴動させる際の鳴動音とを、相互に異なる鳴動音とすることができる。さらにまた、警報信号受信装置６０から出力された警報信号に基づいて非常ベル３０、４１を鳴動させる際の鳴動音を、警報信号の種別に応じて異なる鳴動音とすることができる。従って、ユーザに対して、従来よりも多様な種類の異常等を報知することが可能になり、さらにその異常等の種別についても認識できるように報知することができる。
【００６１】
その後、受信機１０の電力制御部１７ａは、所定の鳴動停止条件が満たされたか否かを監視し（ＳＡ８）、鳴動停止条件が満たされるまでは（ＳＡ８、Ｎｏ）、非常ベル３０、４１への電力の供給を継続することで鳴動を継続させて、ユーザに対する異常等の報知を継続し、鳴動停止条件が満たされた場合には（ＳＡ８、Ｙｅｓ）、非常ベル３０、４１への電力の供給を停止することで鳴動を停止させる（ＳＡ９）。この鳴動停止条件の具体的内容は任意であるが、本実施の形態においては、感知器２０又は発信機４２からの異常信号の出力に基づいて非常ベル３０、４１を鳴動させた場合には、これら感知器２０又は発信機４２が復帰したことが幹線２の電流変化によって検知できた場合や、鳴動を所定時間以上行った場合に、鳴動停止条件が満たされたものとする。また、警報信号受信装置６０からの警報信号の出力に基づいて非常ベル３０、４１を鳴動させた場合には、受信機１０の入力部１１を介した所定の鳴動停止操作が行われた場合や、鳴動を所定時間以上行った場合に、鳴動停止条件が満たされたものとする。そして、このように所定時間の経過により鳴動を停止させる場合において、電力制御部１７ａは、この所定時間を鳴動停止条件テーブル１６ａから取得する。例えば、例えば、信号種別＝異常信号の場合には１時間、種別＝緊急地震速報の場合には５分、種別＝津波警報の場合には２時間、種別＝豪雨注意報の場合には１時間を取得する。あるいは、監視領域の外部から警報状態の解除を示す外部警報解除信号が送信される場合には、この外部警報解除信号を警報信号受信装置６０が受信し、警報信号受信装置６０が警報解除信号を受信機１０に送信するようしてもよく、この場合には、警報解除信号を受信した場合に、鳴動停止条件が満たされたものとする。これにて防災処理が終了する。
【００６２】
〔実施の形態２〕
次に、実施の形態２について説明する。この形態は、受信機が鳴動機を鳴動させている際に、この鳴動の原因とは異なる異常信号又は警報信号が出力された場合には、鳴動音の優先度を決定し、当該決定した優先度に基づいて鳴動音を制御する形態である。ただし、特に説明なき限りにおいて、構成及び処理については実施の形態１と同様であり、実施の形態１と同じ機能を有する構成要素には実施の形態１と同じ符号又は名称を付してその説明を省略する。
【００６３】
（構成）
実施の形態２に係る防災システムは、実施の形態１に係る防災システムとほぼ同様に構成することができるが、受信機１０から警報信号受信装置６０に対しても無線信号を送信することが可能となっており、このため、受信機１０の通信部１３は、警報信号受信装置６０に信号を無線送信するための変調部等を備え、警報信号受信装置６０の通信部６１は、受信機１０からの信号を無線受信するための復調部等を備えて構成されている。また、鳴動音制御装置５０の鳴動制御部５４ａは、異常出力機である感知器２０や発信機４２から出力された異常信号又は警報信号受信装置６０から出力された警報信号に基づいて受信機１０が鳴動機である非常ベル３０、４１を鳴動させている際に、当該鳴動の原因となった異常信号又は警報信号とは異なる異常信号又は警報信号が出力された場合には、鳴動音の優先度を決定し、当該決定した優先度に基づいて鳴動音を制御する鳴動音制御手段として構成されている。
【００６４】
（処理）
次に、このように構成される防災システム１によって実行される防災処理について説明する。図８は、防災処理のフローチャートである。
【００６５】
警報信号受信装置６０の通信制御部６３ａは、監視領域の外部から出力された外部警報信号又は後述するＳＢ７で受信機１０から出力された異常信号が、通信部６１を介して受信されたか否かを監視する（ＳＢ１）。そして、外部警報信号又は異常信号が受信された場合であって（ＳＢ１、Ｙｅｓ）、この信号が外部警報信号である場合には（ＳＢ２、Ｙｅｓ）、受信機１０及び鳴動音制御装置５０に警報信号を通信部６１を介して無線送信する（ＳＢ３）。あるいは、外部警報信号又は異常信号が受信された場合であって（ＳＢ１、Ｙｅｓ）、この信号が外部警報信号ではない場合（異常信号である場合）には（ＳＢ２、Ｎｏ）、鳴動音制御装置５０に警報信号を通信部６１を介して無線送信する（ＳＢ４）。このＳＢ４において、鳴動音制御装置５０のみに警報信号を送信するのは、ＳＢ７で受信機１０から異常信号が出力される場合とは、ＳＢ７の説明において後述するように、異常出力機である感知器２０や発信機４２から出力された異常信号が受信機１０に入力された場合であり、受信機１０に対して警報信号受信装置６０から異常信号を再度入力する必要がないためである。
【００６６】
一方、受信機１０の電力制御部１７ａは、感知器２０又は機器収容箱４０の発信機４２から出力された異常信号の入力の有無を幹線２の電流変化の有無に基づいて監視すると共に、警報信号受信装置６０から送信された警報信号の受信の有無を通信部１３の受信状態に基づいて監視している（ＳＢ５）。そして、異常信号の入力又は警報信号の受信があった場合であって（ＳＢ５、Ｙｅｓ）、この信号が異常信号である場合には（ＳＢ６、Ｙｅｓ）、警報信号受信装置６０に異常信号を通信部１３を介して無線送信する（ＳＢ７）。このように異常信号を送信することで、上述したＳＢ４において、警報信号受信装置６０から鳴動音制御装置５０のみに警報信号が送信されることになり、感知器２０又は機器収容箱４０の発信機４２から異常信号が出力されたことを、受信機１０と警報信号受信装置６０とを順次介して、鳴動音制御装置５０に移報することが可能になる。次いで、電力制御部１７ａは、警報音の出力や外部機器への移報等の所定の報知動作を行うと共に、ベル線３を介して非常ベル３０に鳴動用の電力を供給する（ＳＢ８）。
【００６７】
また、鳴動音制御装置５０の鳴動制御部５４ａは、図７のＳＡ５〜ＳＡ７と同様にＳＢ１１〜ＳＢ１３を実行し、受信機１０による非常ベル３０、４１の鳴動音を制御する。その後、鳴動制御部５４ａは、受信機１０が非常ベル３０、４１を鳴動させている際に、当該鳴動の原因となった異常信号又は警報信号とは異なる異常信号又は警報信号が出力され当該鳴動音制御装置５０に入力された場合には（ＳＢ１４、Ｙｅｓ）、鳴動音の優先度を決定し（ＳＢ１５）、当該決定した優先度に基づいて鳴動音を制御する（ＳＢ１２、ＳＢ１３）。この優先度の具体的な決定方法は任意であるが、例えば、記憶部５３には、信号の種別と優先度とを相互に関連付けて構成された優先度テーブルが予め設定されており、鳴動制御部５４ａは、この優先度テーブルを参照して優先度を決定し、優先度が最も高い信号に対応する鳴動音のみが出力されるように制御を行う。この優先度は、例えば、警報や異常の重要度（緊急性、危険性等）に基づいて設定する。例えば、優先度テーブルには、感知器２０又は発信機４２からの異常信号の優先度＝１、警報信号受信装置６０からの警報信号の優先度＝２（本実施の形態では、優先度の数値が小さい方が、優先度が高いものとする）のように設定されているものとする。この場合において、警報信号受信装置６０からの警報信号に基づいて非常ベル３０、４１を鳴動させている際に、感知器２０又は発信機４２からの異常信号の入力を受けた場合には、異常信号の優先度の方が警報信号の優先度よりも高いために、鳴動制御部５４ａは、非常ベル３０、４１の鳴動音を、警報信号に基づく鳴動音から異常信号に基づく鳴動音に切り替えるように、非常ベル３０、４１に対する電力供給の周期を制御する。あるいは、感知器２０又は発信機４２からの異常信号に基づいて非常ベル３０、４１を鳴動させている際に、警報信号受信装置６０からの警報信号を受信した場合には、異常信号の優先度の方が警報信号の優先度よりも高いために、鳴動制御部５４ａは、非常ベル３０、４１の鳴動音を切り替えることなくそのまま維持する。従って、ユーザに対して、優先度に応じた報知をユーザに対して行うことが可能になる。
【００６８】
その後、受信機１０の電力制御部１７ａは、所定の鳴動停止条件が満たされたか否かを監視し（ＳＢ９）、鳴動停止条件が満たされるまでは（ＳＢ９、Ｎｏ）、非常ベル３０、４１への電力の供給を継続することで鳴動を継続させて、ユーザに対する異常等の報知を継続し、鳴動停止条件が満たされた場合には（ＳＢ９、Ｙｅｓ）、非常ベル３０、４１への電力の供給を停止することで鳴動を停止させる（ＳＢ１０）。これにて防災処理が終了する。
【００６９】
なお、鳴動音制御装置５０の鳴動制御部５４ａは、優先度に応じた鳴動音の切り替えの制御を行った後に、さらに信号の変化があった場合には、必要に応じて鳴動音を切り替える。例えば、上記例示したように、警報信号受信装置６０からの警報信号に基づいて非常ベル３０、４１を鳴動させている際に、感知器２０又は発信機４２からの異常信号の入力を受けたことにより、非常ベル３０、４１の鳴動音を、警報信号に基づく鳴動音から異常信号に基づく鳴動音に切り替えた場合において、感知器２０又は発信機４２からの異常信号を解除する所定の解除条件が充足した場合には、非常ベル３０、４１の鳴動音を、警報信号に基づく鳴動音に切り替える。あるいは、感知器２０又は発信機４２からの異常信号に基づいて非常ベル３０、４１を鳴動させている際に、警報信号受信装置６０からの警報信号を受信したが、非常ベル３０、４１の鳴動音を切り替えることなくそのまま維持した場合において、感知器２０又は発信機４２からの異常信号を解除する所定の解除条件が充足した場合には、非常ベル３０、４１の鳴動音を、警報信号に基づく鳴動音に切り替える。この解除条件の具体的内容は任意であるが、本実施の形態においては、これら感知器２０又は発信機４２が復帰したことが幹線２の電流変化によって受信機１０により検知され、この受信機１０から警報信号受信装置６０を介して鳴動音制御装置５０に解除信号が送信された場合には、鳴動停止条件が満たされたものとする。あるいは、鳴動を所定時間以上行った場合や、各機器のいずれかに対して人により鳴動停止操作がなされた場合に、鳴動停止条件が満たされたものとする。
【００７０】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００７１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来のシステムよりも防災性を向上できない場合であっても、従来のシステムと同程度の防災性を従来のシステムとは異なる本願発明のシステムによって達成できている場合には、本願発明の課題が解決されている。
【００７２】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、受信機１０や鳴動音制御装置５０をそれぞれ複数の装置に分散して構成したり、鳴動音制御装置５０（鳴動音制御手段）や警報信号受信装置６０（警報信号受信手段）を受信機１０の内部に統合したり、鳴動停止条件テーブル１６ａや鳴動内容テーブル５３ａをそれぞれ複数のテーブルに分散したり、受信機１０又は鳴動音制御装置５０の一方の機能の一部を他方に持たせたりしてもよい。また、各部を分散する場合において、これら各部の相互間の連携は、有線と無線のいずれか一方又は両方により行うことができる。
【００７３】
（実施の形態の相互関係について）
複数の実施の形態が記載されている場合において、これら複数の実施の形態の相互間においては、その構成や処理の一部を相互に入れ替えたり、一方の構成や処理を他方に適用したりしてもよい。
【００７４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７５】
（各機器の特定について）
警報信号受信装置６０から受信機１０や鳴動音制御装置５０に対して警報信号を出力する場合には、受信機１０や鳴動音制御装置５０を一意に識別するためのＩＤを警報信号に含めて送信することとし、これら受信機１０や鳴動音制御装置５０においては受信した警報信号に含まれているＩＤが自己に予め設定されているＩＤと一致する場合にのみ、当該警報信号に基づく処理を行うようにしてもよい。
【００７６】
（各機器の接続について）
感知器２０や発信機４２から受信機１０への異常信号の出力は、直接的に、又は公知の無線中継器を介して間接的に、無線にて行うようにしてもよい。また、受信機１０から非常ベル３０、４１を鳴動させる場合、受信機１０から信号を無線送信し、この信号を受信した公知の無線中継器が非常ベル３０、４１に電力を供給するようにしてもよい。
【００７７】
（鳴動音の制御内容について）
鳴動音の制御内容は変更可能であり、例えば、警報信号受信装置６０から出力された警報信号に基づいて鳴動させる際の鳴動音に関しては、警報信号の種別に関わらず、同じ鳴動音としてもよい。あるいは、さらに警報信号以外の条件に基づいて鳴動音を変えるようにしてもよく、例えば、警報信号受信装置６０に試験ボタンを設けておき、この試験ボタンが押圧された場合には、警報信号受信装置６０から試験用警報信号を出力するようにし、この試験用警報信号に基づいて鳴動機を鳴動させる際の鳴動音の属性を、警報信号に基づいて鳴動させる際の鳴動音とは異なる属性にしてもよい。
【００７８】
（鳴動音の鳴動停止条件について）
鳴動音の鳴動停止条件は変更可能であり、例えば、警報信号受信装置６０から出力された警報信号に基づいて鳴動させた際の鳴動音を停止させる際の鳴動停止条件に関しては、警報信号の種別に関わらず、同じ鳴動停止条件としてもよい。あるいは、上述のように試験用警報信号に基づいて鳴動機を鳴動させた際の鳴動音の鳴動停止条件に関しては、最も短時間（例えば５秒間）で鳴動が停止するような停止条件とすることで、試験動作時のユーザの煩わしさを解消してもよい。
【００７９】
（鳴動音の切り替えについて）
実施の形態２においては、警報信号より異常信号の優先度が高い場合について説明したが、異常信号より警報信号の優先度が高いものとしてもよい。また、警報信号の種別によって優先度を変えたり、異常信号を出力した機器の種別や設置位置によって優先度を変えたりしてもよい。例えば、鳴動音制御装置５０の鳴動制御部５４ａは、警報信号受信装置６０から受信した警報信号に含まれる種別識別子に基づいて、警報信号の種別を特定し、当該特定した種別に対応する優先度を決定し（種別＝緊急地震速報の場合には優先度＝１、種別＝津波警報の場合には優先度＝２、種別＝豪雨注意報の場合には優先度＝３等）、最も高い優先度に応じた鳴動音が鳴るように制御を行う。この優先度や、上述したように記憶部５３に予め設定しておくことができるが、ユーザが任意に変更できるようにしてもよく、例えば、沿岸部から十分に離れた建物に設定される防災システム１においては、種別＝津波警報の場合の優先度を比較的低くし、沿岸部に近い建物に設定される防災システム１においては、種別＝津波警報の場合の優先度を比較的高くすることができる。
【００８０】
（第１の付記）
上述した課題を解決し、目的を達成するために、第１の付記１の防災システムは、監視領域に設置された異常出力機と鳴動機とを受信機に対して通信可能に接続して構成された防災システムであって、監視領域の外部から出力された外部警報信号を受信する警報信号受信手段と、前記異常出力機から出力された異常信号に基づいて前記受信機が前記鳴動機を鳴動させる際の鳴動音と、前記警報信号受信手段から出力された警報信号に基づいて前記受信機が前記鳴動機を鳴動させる際の鳴動音とを、相互に異なる鳴動音とする鳴動音制御手段とを備える。
【００８１】
第１の付記２の防災システムは、第１の付記１に記載の防災システムにおいて、前記鳴動音制御手段は、前記警報信号受信手段から出力された警報信号に基づいて前記受信機が前記鳴動機を鳴動させる際の鳴動音を、前記警報信号の種別に応じて異なる鳴動音とする。
【００８２】
第１の付記３の防災システムは、第１の付記１又は２に記載の防災システムにおいて、前記鳴動音制御手段は、前記異常出力機から出力された異常信号又は前記警報信号受信手段から出力された警報信号に基づいて前記受信機が前記鳴動機を鳴動させている際に、当該鳴動の原因となった異常信号又は警報信号とは異なる異常信号又は警報信号が出力された場合には、鳴動音の優先度を決定し、当該決定した優先度に基づいて鳴動音を制御する。
【００８３】
第１の付記４の防災システムは、第１の付記１から３のいずれか一項に記載の防災システムにおいて、前記受信機は、前記警報信号受信手段から出力された警報信号に基づいて前記鳴動機を鳴動させた場合、前記警報信号の種別に応じた異なる鳴動停止条件に基づいて、前記鳴動機の鳴動を停止させる。
【００８４】
第１の付記５の防災システムは、第１の付記１から４のいずれか一項に記載の防災システムにおいて、前記鳴動音制御手段は、前記鳴動機を前記受信機に接続するための線路であって、前記受信機から前記鳴動機に鳴動用の電力を供給するための線路に取り付けられた、鳴動音制御装置として構成され、前記警報信号受信手段から出力された警報信号に基づいて、前記鳴動用の電力の属性を変化させることにより、前記鳴動機を鳴動させる際の鳴動音を変化させる。
【００８５】
第１の付記６の防災システムは、第１の付記１から５のいずれか一項に記載の防災システムにおいて、前記警報信号受信手段は、監視領域の外部から出力された外部警報信号を受信した場合に、前記受信機及び前記鳴動音制御手段に対して警報信号を無線出力する、警報信号受信装置として構成された。
【００８６】
第１の付記７の受信機は、監視領域に設置された異常出力機と鳴動機とに対して通信可能に接続された受信機であって、監視領域の外部から出力された外部警報信号を受信する警報信号受信手段からの警報信号に基づいて、前記鳴動機を鳴動させる。
【００８７】
第１の付記８の鳴動音制御装置は、監視領域に設置された鳴動機を受信機に接続するための線路であって、前記受信機から前記鳴動機に鳴動用の電力を供給するための線路に取り付けられた鳴動音制御装置であり、監視領域に設置された異常出力機から出力された異常信号に基づいて前記受信機が前記鳴動機を鳴動させる際の鳴動音と、監視領域の外部から出力された外部警報信号を受信する警報信号受信手段からの警報信号に基づいて前記受信機が前記鳴動機を鳴動させる際の鳴動音とを、相互に異なる鳴動音とする。
【００８８】
第１の付記９の警報信号受信装置は、監視領域に設置された異常出力機と鳴動機とに接続された受信機と、前記鳴動機を鳴動させる際の鳴動音を変化させる鳴動音制御装置とに対して、警報信号を無線出力する警報信号受信装置であり、前記監視領域の外部から出力された外部警報信号を受信した場合に、警報信号を無線出力する。
【００８９】
（第１の付記の効果）
第１の付記１に記載の防災システムによれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
【００９０】
第１の付記２に記載の防災システムによれば、警報信号に基づく鳴動機の鳴動音が、警報信号の種別に応じて異なる鳴動音になるので、異常等の種別が一層詳細に認識可能となるようにユーザに対する報知を行うことが可能になる。
【００９１】
第１の付記３に記載の防災システムによれば、複数の異常信号や警報信号が競合した場合に、鳴動音の優先度を決定し、当該決定した優先度に基づいて鳴動音を制御するので、例えば、最も優先度が高い信号種別に応じた鳴動音で鳴動を行わせることで、優先度に応じた報知をユーザに対して行うことが可能になる。
【００９２】
第１の付記４に記載の防災システムによれば、警報信号の種別に応じた異なる鳴動停止条件に基づいて、鳴動機の鳴動が停止するので、例えば、比較的危険性が低い異常が発生した場合には鳴動を比較的短時間だけ行ってから停止させることで、ユーザの煩わしさを防止したり消費電力を低減したりすることができ、比較的危険性が高い異常が発生した場合には鳴動を比較的長時間に渡って行ってから停止させることで、ユーザに異常等を一層確実に報知することが可能になる等、警報信号の種別に応じた好適な条件で鳴動停止タイミングを制御することが可能になる。
【００９３】
第１の付記５に記載の防災システムによれば、鳴動音制御手段が受信機から鳴動機に鳴動用の電力を供給するための線路に取り付けられた鳴動音制御装置として構成されており、この電力の属性を変化させることにより鳴動音が変化するので、受信機や鳴動機については鳴動音変化のための特殊な構成を設けることなく、既設の線路に鳴動音制御装置を取り付けることで鳴動音を変化させることができるため、防災システムの増加コストを低減することが可能になり、防災システムの普及度を向上させることが可能になる。
【００９４】
第１の付記６に記載の防災システムによれば、警報信号受信手段が受信機及び鳴動音制御手段に対して警報信号を無線出力する警報信号受信装置として構成されているので、受信機や鳴動音制御手段については外部警報信号の受信や警報信号の出力を行うための特殊な構成を設けることなく、これら受信機や鳴動音制御手段とは独立した警報信号受信装置を設けることでこれら外部警報信号や警報信号を処理できるので、防災システムの増加コストを低減することが可能になり、防災システムの普及度を向上させることが可能になる。
【００９５】
第１の付記７に記載の受信機によれば、監視領域に設置された異常出力機と鳴動機とに対して通信可能に接続された受信機であって、監視領域の外部から出力された外部警報信号を受信する警報信号受信手段からの警報信号に基づいて、前記鳴動機を鳴動させる。
【００９６】
第１の付記８に記載の鳴動音制御装置によれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
【００９７】
第１の付記９に記載の警報信号受信装置によれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
【００９８】
（第２の付記）
第２の付記１の防災システムは、監視領域に設置された異常出力機と鳴動機とを受信機に対して通信可能に接続して構成された防災システムであって、監視領域の外部から出力された外部警報信号を受信する警報信号受信手段と、前記異常出力機から出力された異常信号に基づいて前記受信機が前記鳴動機を鳴動させる際の鳴動音と、前記警報信号受信手段から出力された警報信号に基づいて前記受信機が前記鳴動機を鳴動させる際の鳴動音とを、相互に異なる鳴動音とする鳴動音制御手段と、前記受信機と無線通信を行う無線中継器と、を備え、前記鳴動機は、当該鳴動機に供給される電力に応じて当該鳴動機の鳴動音を変化させるベルであり、前記鳴動音制御手段は、前記鳴動機を前記無線中継器に接続するための線路であって、前記無線中継器から前記鳴動機に鳴動用の電力を供給するための線路に取り付けられた、鳴動音制御装置として構成され、前記警報信号受信手段から出力された警報信号に基づいて、前記鳴動用の電力の属性を変化させることにより、前記鳴動機を鳴動させる際の鳴動音を変化させる。
【００９９】
第２の付記２の防災システムは、第２の付記１に記載の防災システムにおいて、前記鳴動音制御手段は、前記警報信号受信手段から出力された警報信号に基づいて前記受信機が前記鳴動機を鳴動させる際の鳴動音を、前記警報信号の種別に応じて異なる鳴動音とする。
【０１００】
第２の付記３の防災システムは、第２の付記１又は２に記載の防災システムにおいて、前記鳴動音制御手段は、前記異常出力機から出力された異常信号又は前記警報信号受信手段から出力された警報信号に基づいて前記受信機が前記鳴動機を鳴動させている際に、当該鳴動の原因となった異常信号又は警報信号とは異なる異常信号又は警報信号が出力された場合には、鳴動音の優先度を決定し、当該決定した優先度に基づいて鳴動音を制御する。
【０１０１】
第２の付記４の防災システムは、第２の付記１から３のいずれか一項に記載の防災システムにおいて、前記受信機は、前記警報信号受信手段から出力された警報信号に基づいて前記鳴動機を鳴動させた場合、前記警報信号の種別に応じた異なる鳴動停止条件に基づいて、前記鳴動機の鳴動を停止させる。
【０１０２】
第２の付記５の防災システムは、第２の付記１から４のいずれか一項に記載の防災システムにおいて、前記警報信号受信手段は、監視領域の外部から出力された外部警報信号を受信した場合に、前記受信機及び前記鳴動音制御手段に対して警報信号を無線出力する、警報信号受信装置として構成されている。
【０１０３】
第２の付記６の受信機は、監視領域に設置された異常出力機と鳴動機とに対して無線中継器を介して通信可能に接続された受信機であって、監視領域の外部から出力された外部警報信号を受信する警報信号受信手段からの警報信号に基づいて、前記鳴動機を鳴動させるものであり、前記鳴動機は、当該鳴動機に供給される電力に応じて当該鳴動機の鳴動音を変化させるベルである。
【０１０４】
第２の付記７の鳴動音制御装置は、監視領域に設置された鳴動機を受信機に接続するための線路であって、前記受信機と無線通信を行う無線中継器から前記鳴動機に鳴動用の電力を供給するための線路に取り付けられた鳴動音制御装置であり、監視領域に設置された異常出力機から出力された異常信号に基づいて前記受信機が前記鳴動機を鳴動させる際の鳴動音と、監視領域の外部から出力された外部警報信号を受信する警報信号受信手段からの警報信号に基づいて前記受信機が前記鳴動機を鳴動させる際の鳴動音とを、相互に異なる鳴動音とし、前記警報信号受信手段から出力された警報信号に基づいて、前記鳴動用の電力の属性を変化させることにより、前記鳴動機を鳴動させる際の鳴動音を変化させる、前記鳴動機は、当該鳴動機に供給される電力に応じて当該鳴動機の鳴動音を変化させるベルである。
【０１０５】
（第２の付記の効果）
第２の付記１に記載の防災システムによれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
また、鳴動音制御手段が受信機から鳴動機に鳴動用の電力を供給するための線路に取り付けられた鳴動音制御装置として構成されており、この電力の属性を変化させることにより鳴動音が変化するので、受信機や鳴動機については鳴動音変化のための特殊な構成を設けることなく、既設の線路に鳴動音制御装置を取り付けることで鳴動音を変化させることができるため、防災システムの増加コストを低減することが可能になり、防災システムの普及度を向上させることが可能になる。
【０１０６】
第２の付記２に記載の防災システムによれば、警報信号に基づく鳴動機の鳴動音が、警報信号の種別に応じて異なる鳴動音になるので、異常等の種別が一層詳細に認識可能となるようにユーザに対する報知を行うことが可能になる。
【０１０７】
第２の付記３に記載の防災システムによれば、複数の異常信号や警報信号が競合した場合に、鳴動音の優先度を決定し、当該決定した優先度に基づいて鳴動音を制御するので、例えば、最も優先度が高い信号種別に応じた鳴動音で鳴動を行わせることで、優先度に応じた報知をユーザに対して行うことが可能になる。
【０１０８】
第２の付記４に記載の防災システムによれば、警報信号の種別に応じた異なる鳴動停止条件に基づいて、鳴動機の鳴動が停止するので、例えば、比較的危険性が低い異常が発生した場合には鳴動を比較的短時間だけ行ってから停止させることで、ユーザの煩わしさを防止したり消費電力を低減したりすることができ、比較的危険性が高い異常が発生した場合には鳴動を比較的長時間に渡って行ってから停止させることで、ユーザに異常等を一層確実に報知することが可能になる等、警報信号の種別に応じた好適な条件で鳴動停止タイミングを制御することが可能になる。
【０１０９】
第２の付記５に記載の防災システムによれば、警報信号受信手段が受信機及び鳴動音制御手段に対して警報信号を無線出力する警報信号受信装置として構成されているので、受信機や鳴動音制御手段については外部警報信号の受信や警報信号の出力を行うための特殊な構成を設けることなく、これら受信機や鳴動音制御手段とは独立した警報信号受信装置を設けることでこれら外部警報信号や警報信号を処理できるので、防災システムの増加コストを低減することが可能になり、防災システムの普及度を向上させることが可能になる。
【０１１０】
第２の付記６に記載の受信機によれば、監視領域に設置された異常出力機と鳴動機とに対して無線中継器を介して通信可能に接続された受信機であって、監視領域の外部から出力された外部警報信号を受信する警報信号受信手段からの警報信号に基づいて、前記鳴動機を鳴動させる。
【０１１１】
第２の付記７に記載の鳴動音制御装置によれば、監視領域の異常出力機から出力された異常信号に基づく鳴動機の鳴動音と、監視領域の外部からの外部警報信号に起因する警報信号に基づく鳴動機の鳴動音とが、相互に異なる鳴動音になるので、監視領域に設置された異常出力機で検知等することができる異常に加えて、異常出力機で検知等することができない異常に関しても、鳴動機を鳴動させることで報知を行うことが可能になる。さらに、鳴動音を変えることで、異常等の種別が認識可能となるようにユーザに対する報知を行うことが可能になる。
また、受信機と無線通信を行う無線中継器から鳴動機に鳴動用の電力を供給するための線路に取り付けられており、この電力の属性を変化させることにより鳴動音が変化するので、受信機や鳴動機については鳴動音変化のための特殊な構成を設けることなく、既設の線路に鳴動音制御装置を取り付けることで鳴動音を変化させることができるため、防災システムの増加コストを低減することが可能になり、防災システムの普及度を向上させることが可能になる。
【符号の説明】
【０１１２】
１  防災システム
２  幹線
３  ベル線
１０  受信機
１１  入力部
１２  出力部
１３  通信部
１４  幹線端子
１５  ベル線端子
１６  記憶部
１６ａ  鳴動停止条件テーブル
１７  制御部
１７ａ  電力制御部
２０  感知器
３０  非常ベル
４０  機器収容箱
４１  非常ベル
４２  発信機
４３  表示灯
５０  鳴動音制御装置
５１  通信部
５２  接点スイッチ
５３  記憶部
５３ａ  鳴動内容テーブル
５４  制御部
５４ａ  鳴動制御部
６０  警報信号受信装置
６１  通信部
６２  記憶部
６３  制御部
６３ａ  通信制御部
【図１】
2018106758.tif 000003
【図２】
2018106758.tif 000004
【図３】
2018106758.tif 000005
【図４】
2018106758.tif 000006
【図５】
2018106758.tif 000007
【図６】
2018106758.tif 000008
【図７】
2018106758.tif 000009
【図８】
2018106758.tif 000010